(57)【要約】【課題】衣類乾燥用の略密閉空間を作る箱体に除湿機を接続して、箱体内の衣類を乾燥するとともに、従来の除湿機として部屋の除湿を行え、構造が簡単で小型化できる衣類乾燥装置を提供する。【解決手段】衣類１４を乾燥するための衣類乾燥装置１であり、除湿機本体９と、乾燥しようとする衣類１４を収容可能な箱体２を備えている。箱体２は、除湿機本体９の給気部９Ａに接続される給気部５と、除湿機本体９の排気部９Ｂに接続されて乾燥空気が供給される供給部４を有する。箱体２を除湿機本体９に対して接続して除湿機本体９を運転することで衣類１４を乾燥することができる。箱体２と除湿機本体９との接続を外せば、除湿機本体９は部屋の除湿に適用することができる。【選択図】図１
2007202742.tif 000002
【特許請求の範囲】
【請求項１】
除湿機と、乾燥すべき衣類を収容可能な箱体を備え、前記箱体は、前記除湿機の給気部と排気部とに脱着可能に接続されていることから成る衣類乾燥装置。
【請求項２】
前記箱体は、前記除湿機の給気部に接続される排出部と、前記除湿機の排気部に接続されて乾燥空気を供給する供給部とを有することから成る請求項１に記載の衣類乾燥装置。
【請求項３】
前記除湿機の前記排気部と前記箱体の前記供給部とはフレキシブルダクトにより接続され、前記除湿機の前記給気部と前記箱体の前記排出部とは気密部材によって気密状態に接続されていることから成る請求項２に記載の衣類乾燥装置。
【請求項４】
前記除湿機の前記排気部は前記除湿機の上部に配設されており、前記箱体の前記供給部は前記箱体の天面又は底面に配設されていることから成る請求項２又は３に記載の衣類乾燥装置。
【請求項５】
前記箱体内には、前記供給部が配設される位置に応じて、前記箱体の前記排出部の略上半分又は略下半分の領域に、遮蔽板が配設されていることから成る請求項２〜４のいずれか１項に記載の衣類乾燥装置。
【請求項６】
前記箱体の前記排出部は前記箱体の側面に位置しており、前記除湿機の前記給気部と対向配置されていることから成る請求項２〜５のいずれか１項に記載の衣類乾燥装置。
【発明の詳細な説明】
【技術分野】
【０００１】
本発明は、衣類を乾燥空気の雰囲気中に置くことによって乾燥させる衣類乾燥装置に関する。
【背景技術】
【０００２】
従来、屋外で衣類Ｗを乾燥させることができない場合等には、除湿機を部屋に設置するとともに、部屋に洗濯物を吊るし、除湿機を作動して部屋内を除湿することにより衣類を乾燥していた。
【０００３】
図２は、部屋で衣類を乾燥する方式を示している。図２において、部屋３１には、出入口扉３２と、窓３３と、床面３４とが備わっている。床面３４には、除湿機本体３９と、洗濯後の洗濯物３６を吊るハンガー３５が置かれている。部屋３１内のハンガー３５に洗濯後の洗濯物３６を吊るし、除湿機本体３９の運転を開始する。除湿機本体３９の運転モードを乾燥（ドライ）モードにすると、排気部３９Ｂから冷気と暖気が放出され、給気部３９Ａから部屋３１内の空気が給気されて部屋３１内の空気の除湿が始まり、洗濯物３６の除湿乾燥が進行する。
【０００４】
上記の除湿機を用いた洗濯物の乾燥では、除湿機本体３９を４．５畳のような小さな部屋３１で使用したとしても、部屋３１内には約２０ｍ３の空気があり、かつ出入口扉３２や窓３３を通しての換気空気と、部屋３１自体での換気空気も加わる。その結果、室内空気や換気空気に含まれる多量の水分を除湿するには長時間を要していた。即ち、部屋１に洗濯物６を吊るして除湿機本体９の動作で乾燥する場合には、部屋１の内部の空気を除湿することで洗濯物６を乾燥するために、部屋１内の大量の空気をも除湿する必要がある。部屋１の内部の空気は、洗濯物９を吊るした直後は多湿状態となっており、また壁や床に含まれていた水分も部屋１内に湿分として現れることや、部屋１の外部からも湿った空気が流入してくるために、洗濯物９が乾燥するまでに長時間を要していた。
【０００５】
除湿乾燥機についての提案として、収納ケース内に、除湿機構部と、洗濯物を吊り下げる、或いは棚置きする機構とを収容している除湿乾燥機が提案されている（例えば、特許文献１参照）。また、ハンガーを掛ける支柱と除湿機を配置して、ハンガーに掛けた洗濯物が除湿機の上部にくるように配置し、ハンガーと洗濯物は、袋状の乾燥ケース内に収容される除湿機用乾燥スタンドが提案されている（例えば、特許文献２参照）。更に、吸着剤に水分を吸着させ、加熱手段により吸着剤を活性化させて、吸着剤による乾燥空気を洗濯物に提供して、洗濯物から蒸発した水分を回収する衣類乾燥機が提案されている（例えば、特許文献３参照）。
【特許文献１】特開平９−１９２３９６号公報
【特許文献２】特開２００１−１３７５９９号公報
【特許文献３】特開平１０−１１３４９８号公報
【０００６】
特許文献１の除湿乾燥機では、収納ケース内に、除湿機構部と、洗濯物を吊り下げる、或いは棚置きする機構の両方を収容しなければならず、収納ケースがかなり大型になる。また、特許文献２の除湿機用乾燥スタンドでは、除湿機が乾燥ケース内に乾燥した空気を送るのであるが、乾燥した空気が袋状の乾燥ケースから外に漏れてしまうので乾燥効率が低い。更に、特許文献３の衣類乾燥機では、構造が非常に複雑であり大がかりになる。
【発明の開示】
【発明が解決しようとする課題】
【０００７】
部屋内に吊るすなどして置いた洗濯物を除湿乾燥機で乾燥させようとするときに、除湿乾燥機の運転時間が長時間になるのは、洗濯物の水分のみならず、部屋内外の大量の空気をも除湿することに原因があることに着目し、部屋内の空気とは隔離された衣類乾燥用の略密閉空間を作り、衣類乾燥のために、その略密閉空間内の比較的少量の空気を除湿乾燥させることで済ます点で解決すべき課題がある。
【０００８】
本発明の目的は、衣類乾燥用の略密閉空間を箱体に作り、箱体に対して除湿機を接続して箱体内を短時間に除湿することで衣類乾燥するとともに、従来の除湿機として部屋の除湿をも行うことができる構造が簡単で小型化できる衣類乾燥装置を提供することである。
【課題を解決するための手段】
【０００９】
上記目的を達成するために、本発明の衣類乾燥装置は、除湿機と、乾燥しようとする衣類を収容可能な箱体を備え、前記箱体は、前記除湿機の給気部と排気部とに脱着可能に接続されていることを特徴とする。
【００１０】
この衣類乾燥装置によれば、除湿機の排気部から排気される乾燥した冷気・暖気は、箱体に供給されて内部に収容されている衣類を乾燥させる。衣類の乾燥に対応して蒸発した水分は箱体から除湿機の排気部とは異なる位置に設けられた給気部に戻され、除湿される。除湿された乾燥空気は、再び箱体に供給される。このサイクルを繰り返すことで、箱体内の衣類は、室内の空気とは別の系統として乾燥される。箱体と除湿機との接続は脱着可能であるので、接続を切り離すことで除湿機は部屋の除湿にも用いられる。
【００１１】
上記の衣類乾燥装置において、前記箱体は、前記除湿機の給気部に接続される排気部と、前記除湿機の排気部に接続されて乾燥空気を供給する供給部とを有することができる。箱体には、除湿機の給気部と排気部とに対応して、除湿機の給気部に接続される排気部と、除湿機の排気部に接続される供給部とは、互いに別の接続部として設けられ、箱体と除湿機との間で空気流れが循環する。
【００１２】
上記の衣類乾燥装置において、前記除湿機の前記排気部と前記箱体の前記供給部とをフレキシブルダクトによって接続し、前記除湿機の前記給気部と前記箱体の前記排気部とを気密部材によって気密状態に接続することができる。除湿機の排気部と箱体の供給部とを接続する通路をフレキシブルダクトで構成することにより、排気部及び供給部の位置や向きに関わらず、更にダクト長さを変更することで、両者間を無理なく融通性を以て確実に接続することができる。また、除湿機の給気部と箱体の排気部との接続には気密部材を用いることによって、除湿機と箱体とを接近させた状態で両部を直接に且つ気密状態に接続される。
【００１３】
上記の衣類乾燥装置において、前記除湿機の前記排気部を前記除湿機の上部に配設し、前記箱体の前記供給部を前記箱体の天面又は底面に配設することができる。除湿機の排気部は、例えば、部屋内の除湿モードで使用するときは、乾燥空気を除湿機の上部から吹き出すことが好ましい。箱体の供給部を箱体の天面又は底面に配設することで、乾燥衣類の状況等に応じて、乾燥空気を箱体の天面又は底面から適宜供給することができる。
【００１４】
上記の衣類乾燥装置において、前記箱体内には、前記供給部が配設される位置に応じて、前記箱体の前記排気部の略上半分又は略下半分の領域に、遮蔽板を配設することができる。供給部が配設される箱体の位置が天面である場合には、箱体の排気部の略上半分の領域に、除湿機の給気部側に流入する空気量を調整する遮蔽板を配設する。この場合、除湿機の給気部側には、遮蔽板の下を潜って空気が流入する。逆に、供給部が配設される箱体の位置が底面である場合には、箱体の排気部の略下半分の領域に遮蔽板を配設する。除湿機の給気部側には、遮蔽板の上から溢れて空気が流入する。
【００１５】
上記の衣類乾燥装置において、前記箱体の前記排気部を、前記箱体の側面において、前記除湿機の前記給気部と対向配置させることができる。箱体と除湿機とを併置したとき、箱体の側面において配設される排気部は、除湿機の給気部と対向し、直接に接続させることが可能になる。
【発明の効果】
【００１６】
本発明の衣類乾燥装置は、衣類乾燥用の略密閉空間として、室内の空間と比較して格段に小さい小空間を箱体に作り、箱体に対して除湿機の給気部と排気部（冷気、暖気）を接続しているので、箱体内の除湿を短時間に効率良く行うことができ、衣類乾燥においても短時間に施すことができる。箱体と除湿機との接続を外せば従来の除湿機として部屋の除湿を行え、構造が簡単で小型化できる。
【発明を実施するための最良の形態】
【００１７】
以下、本発明による衣類乾燥装置の実施形態を、図面を参照して詳細に説明する。図１は、本発明による衣類乾燥装置の好ましい一実施例を示す概略図である。
【００１８】
図１に示す衣類乾燥装置１は、乾燥しようとする衣類を収容可能な箱体２と、箱体２に隣接して配置されており取り込んだ空気を除湿する除湿機本体９とを有する。箱体２と除湿機本体９とは、並べて床面に置かれる。
【００１９】
箱体２の側面には、開閉可能な扉３が設けられている。扉３を閉めれば箱体２は略密閉状態の容器となり、扉３を開けることで洗濯物（衣類）１４を箱体２内に出し入れすることができる。箱体２の天面には除湿機本体９において除湿された乾燥空気が供給される供給部４が設けられており、箱体２の側面には、洗濯物１４から水分を奪った湿潤空気が排出される排出部５が開口している。
【００２０】
箱体２内には、遮蔽板６が上下方向に沿って配置されている。遮蔽板６は排出部５から一定空間ａを離した位置において、排出部５の略上半分の領域に対応して設けられている。遮蔽板６は、箱体２の排出部５から除湿機本体９の給気部９Ａ側に流入する空気の量を調整するための部材である。遮蔽板６の面積を変えることにより、箱体２の排出部５から除湿機本体９の給気部９Ａ側に流入する空気の量を必要に応じて調整することができる。
【００２１】
箱体２の内部には、ハンガー１３が水平に設けられており、洗濯物１４を着脱可能に吊り下げることができる。ハンガー１３の数や形状は特に限定されず、箱体２内には任意の本数のハンガー１３を配置できる。箱体２の大きさは、図１の例では除湿機本体９の大きさよりも大きい。
【００２２】
箱体２の上部及び下部には、それぞれ除湿機本体９との間で用いられる上部固定金具７又は下部固定金具８が設けられている。上部固定金具７は、除湿機本体９の上部位置に対して箱体２の上部を着脱可能に固定する。下部固定金具８は、除湿機本体９の下部位置に対して箱体２の下部を着脱可能に固定する。上部固定金具７と下部固定金具８を用いることにより、箱体２と除湿機本体９との脱着を容易に行うことができる。
【００２３】
除湿機本体９は、給気部９Ａと、排気部（冷気、暖気含む）９Ｂとを有する。給気部９Ａは、箱体２の排出部５に対して間隔を置いて対面している。給気部９Ａの開口面積と箱体２の排出部５の開口面積とは、図１の実施例では好ましくは略同じである。排気部９Ｂは、除湿機本体９の上部に配置されており、斜め上方に向いて開口している。
【００２４】
箱体２の排気部５と除湿機本体９の給気部９Ａとの間は、接続部パッキン１０によって気密に接続されている。接続部パッキン１０は、上部固定金具７と下部固定金具８の間の領域において排気部５と給気部９Ａとの接続部分を取り囲む状態に配置されている。一方、除湿機本体９の排気部９Ｂには排気接続口１１が接続されている。除湿機本体９の排気接続口１１と箱体２の供給部４とは、フレキシブルチューブであるフレキシブルダクト１２によって接続可能である。
【００２５】
次に、本発明による衣類乾燥装置の上記実施例の動作について説明する。図１において、使用者が、除湿機本体９を箱体２の上部固定金具７と下部固定金具８とに対して固定してセットする。除湿機本体９を起動して、運転（乾燥ドライモード）を開始すると、除湿機本体９の排気部９Ｂからは、除湿された冷気及び暖気が除湿機本体９の内部のファン（図示せず）により放出される。放出された冷気及び暖気は、矢印で示すように、排気接続口１１からフレキシブルダクト１２を通じて略密閉された箱体２の天面側に設けられている供給部４に供給される。
【００２６】
略密閉された箱体２の内容積は、例えば約０．１ｍ３である。箱体２内の湿った空気は、遮蔽板６、排出部５を通じて、除湿機本体９の給気部９Ａからその内に入る。除湿機本体９により除湿された乾燥空気は、上述したように排気部９Ｂから放出されてフレキシブルダクト１２を介して箱体２側に戻る閉サイクルを構成する。箱体２の排出部５と除湿機本体９の給気部９Ａとの間は、接続部パッキン１０によって気密が保たれているので、室内空気との間で空気が混じることはない。このため、略密閉の箱体２の天面に供給された乾燥空気は、ハンガー１３に吊った洗濯物１４の乾燥を、短時間で完了できる。例えば４．５畳の部屋の場合を比較例として挙げると、箱体２内の空気量が４．５畳の部屋内の空気量に比べて約１／２００であり、しかも箱体２は略密閉の容器である。
【００２７】
このように、箱体２の空気量は部屋の空気量に比べてかなり小さくでき、かつ箱体２は住宅の部屋に比べて気密性が良いために、洗濯物１４を箱体２内で乾燥すると、部屋内で除湿乾燥する場合に比べて、洗濯物１４の乾燥時間を大幅に短縮することができる。略密閉の箱体２内に洗濯物１４を収納するので、人目にさらしたくない女性用の下着などの乾燥も室内で簡単にできる。また、除湿機本体９のヒートサイクルを使用して除湿乾燥する場合には、ヒータ式の乾燥機に比べて、例えば１／２から１／３の省エネルギー効果が図れる。衣類を乾燥しない場合には、上部固定金具７と下部固定金具８とを外すことで除湿機本体９を衣類乾燥装置１の箱体２から取り外し、更に排気接続口１１からフレキシブルダクト１２を取り外すことで、排気接続口１１から乾燥空気を直接室内に放出する通常の除湿機として部屋内の除湿に使用できるので、除湿機本体９の使用範囲が拡大する。
【００２８】
本発明は、上記実施形態に限定されるものではなく、本発明の範囲内で上記実施形態に多くの修正および変更を加え得ることは勿論である。例えば、箱体２の天面に供給部４を設けるのではなく、箱体２の底面に供給部を設けて、排気部９Ｂと箱体２の底面の供給部との間をフレキシブルダクト１２により着脱可能に接続してもよい。
【００２９】
また、図１では、供給部４が配設される箱体２の位置が天面であるので、箱体２の排気部５の略上半分の領域に、遮蔽板６が配設される。この場合、除湿機本体９の給気部９Ａ側には、遮蔽板６の下を潜った空気が流入する。供給部４が配設される箱体２の位置が底面である場合には、除湿機本体９の給気部９Ａと接続している箱体２の排出部５の略下半分の領域に対して、遮蔽板６が設けられる。除湿機本体９の給気部９Ａ側には、遮蔽板６の上から溢れた空気が流入する。
【００３０】
更に、例えば扉３は、箱体２内に収容された洗濯物１４の様子が外部から確認できるように、透明あるいは半透明の材質で作ることができる。また、接続部のパッキン１０は、箱体２側にあらかじめ固定しておいてもよく、また除湿機本体９側にあらかじめ固定しておいてもよい。
【図面の簡単な説明】
【００３１】
【図１】本発明の衣類乾燥装置の好ましい実施例を示す概略図である。
【図２】従来の衣類の乾燥方法を示す図である。
【符号の説明】
【００３２】
１  衣類乾燥装置                      ２  略密閉の箱体
３  扉                                ４  供給部
５  給気部                            ６  遮蔽板
７  上部固定金具                      ８  下部固定金具
９  除湿機本体
９Ａ  給気部                          ９Ｂ  排気部
１０  接続部パッキン（気密部材の一例）      １１  排気接続口
１２  フレキシブルダクト              １３  ハンガー
１４  洗濯物（衣類）
【図１】
2007202742.tif 000003
【図２】
2007202742.tif 000004